(57)【要約】      （修正有）【課題】自動取引装置の入力部に対する入力情報の漏えいを防ぎながら、入力部に対する操作者からの視認性を充分に確保するカバー部材を提供する。【解決手段】カバー部材５０は、幅方向の両端側に形成される２つの側面部材５１０と、入力部２０の奥側から入力部の鉛直上方に向けて形成される後面部材と、入力部の鉛直上方に形成される前面部材と、を備え、上記前面部材は、前面部材の幅方向上に形成される少なくとも１つ以上の第１の辺部５４０と、少なくとも１つ以上の第１の辺部から後面部材に向けて延設される少なくとも１つ以上の第１の延設部５５０と、第１の辺部と前面部材の上端との間に形成される開口部５６０と、を含む【選択図】図７
2017091282.tif 000002
【特許請求の範囲】
【請求項１】
自動取引装置の入力部に設けられるカバー部材であって、
前記カバー部材は、
前記入力部の幅方向の両端側および前記入力部の奥側において前記自動取引装置に結合しており、
前記入力部の幅方向の両端側に形成される２つの側面部材と、
前記入力部の奥側から前記入力部の鉛直上方に向けて形成される後面部材と、
前記入力部の鉛直上方に形成される前面部材と、
を備え、
前記前面部材は、
前記前面部材の幅方向上に形成される、少なくとも１つ以上の第１の辺部と、
前記少なくとも１つ以上の第１の辺部から前記後面部材に向けて延設される、少なくとも１つ以上の第１の延設部と、
前記第１の辺部と前記前面部材の上端との間に形成される開口部と、
を含む、カバー部材。
【請求項２】
前記前面部材は、隣接する前記第１の辺部の間に形成される開口部、をさらに含む、請求項１に記載のカバー部材。
【請求項３】
前記前面部材は、
前記第１の辺部と交差する方向上に形成される、少なくとも１つ以上の第２の辺部と、
前記少なくとも１つ以上の第２の辺部から前記後面部材に向けて延設される、少なくとも１つ以上の第２の延設部と、
をさらに含む、請求項１または２に記載のカバー部材。
【請求項４】
前記開口部は、一部または全部で前記入力部に対する奥行方向の視野角の大きさ又は向きが異なる、請求項１〜３のいずれかに記載のカバー部材。
【請求項５】
前記少なくとも１つ以上の第１の延設部は、一部又は全部で前記入力部に対する傾斜角が異なる、請求項１〜４のいずれかに記載のカバー部材。
【請求項６】
前記少なくとも１つ以上の第１の延設部は、一部又は全部で延設方向の長さが異なる、請求項１〜５のいずれかに記載のカバー部材。
【請求項７】
前記カバー部材は、前記入力部の奥側における前記自動取引装置との接触面に段差形状の結合部を備え、前記結合部により前記自動取引装置と結合する請求項１〜６のいずれかに記載のカバー部材。
【請求項８】
前記カバー部材は、前記入力部の奥側における前記自動取引装置との接触面に凸形状の結合部を備え、前記結合部により前記自動取引装置に形成された凹形状と結合する、請求項１〜６のいずれかに記載のカバー部材。
【請求項９】
前記カバー部材は、前記入力部の奥側における前記自動取引装置との接触面に凹形状の結合部を有し、前記結合部により前記自動取引装置に形成された凸形状と結合する、請求項１〜６のいずれかに記載のカバー部材。
【発明の詳細な説明】
【技術分野】
【０００１】
本発明は、カバー部材に関する。
【背景技術】
【０００２】
ＡＴＭ（Ａｕｔｏｍａｔｅｄ  Ｔｅｌｌｅｒ  Ｍａｃｈｉｎｅ）、キャッシュディスペンサー等の自動取引装置を用いて取引を行う際、操作者は、キャッシュカードあるいは通帳等の口座番号を特定する物を提示し、暗証番号を入力することを求められる。この際、入力装置の周囲をカバー部材で保護し、操作者による暗証番号の入力操作を外部から遮断する方法が広く知られている。上記のようなカバー部材の一例としては、例えば、特許文献１に記載のカバー部材がある。
【先行技術文献】
【特許文献】
【０００３】
【特許文献１】中国実用新案第２０１８１２７０８号明細書
【発明の概要】
【発明が解決しようとする課題】
【０００４】
しかし、近年、防犯カメラを介した暗証番号の盗み見等、犯罪の手口が巧妙化していることから、上記のカバー部材が属する技術分野では、さらなる安全性の確保が望まれている。
【０００５】
そこで、本発明は、上記問題に鑑みてなされたものであり、本発明の目的とするところは、自動処理装置の入力部に対する入力情報の漏えいを防ぎながら、入力部に対する操作者からの視認性を充分に確保することが可能な、新規かつ改良されたカバー部材を提供することにある。
【課題を解決するための手段】
【０００６】
上記課題を解決するために、本発明のある観点によれば、自動取引装置の入力部に設けられるカバー部材であって、前記カバー部材は、前記入力部の幅方向の両端側および前記入力部の奥側において前記自動取引装置に結合しており、前記入力部の幅方向の両端側に形成される２つの側面部材と、前記入力部の奥側から前記入力部の鉛直上方に向けて形成される後面部材と、前記入力部の鉛直上方に形成される前面部材と、を備え、前記前面部材は、前記前面部材の幅方向上に形成される、少なくとも１つ以上の第１の辺部と、前記少なくとも１つ以上の第１の辺部から前記後面部材に向けて延設される、少なくとも１つ以上の第１の延設部と、前記第１の辺部と前記前面部材の上端との間に形成される開口部と、を含む、カバー部材、が提供される。
【０００７】
前記前面部材は、隣接する前記第１の辺部の間に形成される開口部、をさらに含んでもよい。
【０００８】
前記前面部材は、前記第１の辺部と交差する方向上に形成される、少なくとも１つ以上の第２の辺部と、前記少なくとも１つ以上の第２の辺部から前記後面部材に向けて延設される、少なくとも１つ以上の第２の延設部と、をさらに含んでもよい。
【０００９】
前記開口部は、一部または全部で前記入力部に対する奥行方向の視野角の大きさ又は向きが異なってもよい。
【００１０】
前記少なくとも１つ以上の第１の延設部は、一部又は全部で前記入力部に対する傾斜角が異なってもよい。
【００１１】
前記少なくとも１つ以上の第１の延設部は、一部又は全部で延設方向の長さが異なってもよい。
【００１２】
前記カバー部材は、前記入力部の奥側における前記自動取引装置との接触面に段差形状の結合部を備え、前記結合部により前記自動取引装置と結合してもよい。
【００１３】
前記カバー部材は、前記入力部の奥側における前記自動取引装置との接触面に凸形状の結合部を備え、前記結合部により前記自動取引装置に形成された凹形状と結合してもよい。
【００１４】
前記カバー部材は、前記入力部の奥側における前記自動取引装置との接触面に凹形状の結合部を有し、前記結合部により前記自動取引装置に形成された凸形状と結合してもよい。
【００１５】
前記結合部における突出部分は少なくとも３ｍｍ以上の長さで形成されてもよい。
【発明の効果】
【００１６】
以上説明したように本発明によれば、自動処理装置の入力部に対する入力情報の漏えいを防ぎながら、入力部に対する操作者からの視認性を充分に確保することが可能となる。
【図面の簡単な説明】
【００１７】
【図１】本発明に係る自動取引装置の概略図である。
【図２】本発明に係るカバー部材との第１の比較例を示す図である。
【図３】本発明に係る第１の比較例における入力部に対する視認性を示す図である。
【図４】本発明に係るカバー部材との第２の比較例を示す図である。
【図５】本発明に係る第２の比較例における入力部に対する視認性を示す図である。
【図６】本発明の第１の実施形態に係るカバー部材の斜視図である。
【図７】同実施形態に係る前面部材の構成を説明するための図である。
【図８】同実施形態に係るカバー部材の断面図である。
【図９】同実施形態に係るカバー部材における入力部に対する視認性を示す図である。
【図１０】カバー部材への暗証番号盗み取り装置の設置を示すイメージ図である。
【図１１】本発明の第２の実施形態に係る結合部を説明するための図である。
【図１２】同実施形態に係る結合部の効果を説明するための図である。
【図１３】同実施形態に係る結合部の段差形状の変形例を示す図である。
【図１４】同実施形態に係る結合部の凸形状を示す図である。
【図１５】同実施形態に係る結合部の凹形状を示す図である。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
＜１．はじめに＞
ＡＴＭ、キャッシュディスペンサー等の自動取引装置を用いた取引、またはピンパッド（Ｐｉｎ  Ｐａｄ：Ｐｅｒｓｏｎａｌ  Ｉｄｅｎｔｉｆｉｃａｔｉｏｎ  Ｎｕｍｂｅｒ  Ｐａｄ）等の情報処理端末を用いたクレジットカード等の決済の際、操作者は、暗証番号を入力するために、入力部に対する入力操作を行う。この際、入力操作が他人に盗み見られてしまうと、他人に暗証番号を不正に用いられ、操作者の意図しない取引が他人により行われてしまう可能性がある。
【００２０】
また、近年では、他人による直接的な盗み見のみではなく、天井等に設置された監視カメラを介して暗証番号を不正に入手する手口や、入力部の上面に暗証番号の盗み取り装置を設置する手口等、暗証番号の不正入手に関する犯罪の多様化、巧妙化が進んでいる。
【００２１】
以降に説明される各実施形態では、上記の犯罪手口に対応したカバー部材について、それぞれ構造上の特徴を挙げながら入力情報の漏えいに係る犯罪防止効果について説明する。
【００２２】
＜２．第１の実施形態＞
（第１の実施形態に係る犯罪防止効果）
第１の実施形態に係るカバー部材５０は、操作者による暗証番号の入力操作を、周囲の他人および天井等に設置された監視カメラによって盗み見られることを防止する効果を有する。以下、本実施形態に係るカバー部材５０と比較例に係るカバー部材との構造的差異について説明しながら、本実施形態に係るカバー部材５０の効果について解説する。
【００２３】
（カバー部材５０の設置例）
まず、図１を参照して、自動取引装置３の入力部２０に対するカバー部材５０の設置例について説明する。図１は、カバー部材５０が設置された自動取引装置３の概略図である。図１においては、自動取引装置３の構成要素のうち、本実施形態に係る構成のみを示しており、一般的な自動取引装置３の構成要素については省略されている。
【００２４】
自動取引装置３は、操作者の入力操作による自動取引が可能な装置であり、金融機関の店舗、コンビニストア等の小売店、公共施設等に配置される。自動取引装置３の一例としては、ＡＴＭが挙げられるが、自動取引装置３は、入金取引や出金取引のみではなく、現金を介さない取引を処理してもよい。本実施形態では、カバー部材５０が設置される装置の一例として、自動取引装置３を用いて説明するが、本実施形態におけるカバー部材５０の技術的な特徴は、ピンパッド等の情報処理端末にも適用し得る。
【００２５】
図１を参照すると、自動取引装置３は、入力部２０と、カバー部材５０と、を備える。入力部２０は、操作者の入力操作により暗証番号等の情報を自動取引装置に入力するための構成要素である。また、カバー部材５０は、操作者による入力部２０への入力操作が、周囲から盗み見られることを防止するための構成要素である。カバー部材５０は、操作者側に広く開放されるよう設置されるため、操作者は、カバー部材５０の内側に手を差し入れて、入力部２０を操作することができる。
【００２６】
（第１の比較例に係るカバー部材３０）
次に図２および図３を参照して、第１の比較例に係るカバー部材３０における、構造上の特徴を説明する。図２は、第１の比較例に係るカバー部材３０の斜視図である。図２を参照すると、カバー部材３０は、入力部２０の操作者側に形成される前面部材３１０、入力部２０の幅方向の両端側に形成される２つの側面部材３２０、入力部２０の奥側に形成される後面部材３３０、および入力部２０の上方に形成される上面部材３４０、を備える。
【００２７】
上面部材３４０は、上面部材３４０の幅方向に形成される複数の第１の辺部３５０と、第１の辺部３５０と交差するよう方向に形成される複数の第２の辺部３８０と、第１の辺部３５０および第２の辺部３８０に囲まれた位置に形成される開口部３７０と、を含む。また、図２に示すとおり、上面部材３４０は、第１の辺部３５０から入力部２０側に向けて延設する第１の延設部３６０と、第２の辺部３８０から入力部２０側に向けて延設する第２の延設部３９０と、をさらに含む場合もある。
【００２８】
図３は、カバー部材３０の上面部材３４０を介した、入力部２０に対する視認性を示す一例である。図３を参照すると、入力部２０の上方からは、入力部２０のすべてのキーが確認できることがわかる。また、図示していないが、操作者による入力操作も当然に上面部材３４０を介して確認できる。このため、操作者は、上面部材３４０を介して、入力部２０のすべてのキー、および自身の入力部２０に対する入力操作を視認できる。しかし、入力部２０の上方に監視カメラが設置された場合、監視カメラからも、入力部２０のすべてのキーと、操作者による入力部２０に対する入力操作と、が確認できてしまう。したがって、カバー部材３０の構成では、監視カメラを介した入力情報の盗み見を防止することが困難である。
【００２９】
（第２の比較例に係るカバー部材４０）
続いて、図４および図５を参照して、第２の比較例に係るカバー部材４０における、構造上の特徴を説明する。図４は、第２の比較例に係るカバー部材４０の斜視図である。図４を参照すると、カバー部材４０は、入力部２０の幅方向の両端側に形成される２つの側面部材４１０、入力部２０の奥側に形成される後面部材４２０、および入力部２０の上方に形成される上面部材４３０、を備える。また、上面部材４３０は、カバー部材４０の奥側から操作者側の上方に向けて延設する複数のルーフ構造４４０と、それぞれのルーフ構造４４０の下方に形成される複数の開口部４５０と、を含む。ルーフ構造４４０は、カバー部材４０の上方からの覗き見を防止するための構成であり、操作者は、ルーフ構造４４０の下方に形成される開口部４５０を介して入力部２０、および入力部２０に対する自身の操作を視認できる。
【００３０】
図５は、図４に示すカバー部材４０のＡ−Ａ’断面を示す断面図であり、カバー部材４０の上面部材４３０を介した入力部２０に対する視認性を説明するための図である。図５には、ルーフ構造４４０ｂの下方に形成される開口部４５０ｂを介して、入力部２０の第１行目のキー２１を視認することが可能な領域である、視野領域Ｒ１が示されている。同様に、視野領域Ｒ２は、ルーフ構造４４０ａの下方に形成される開口部４５０ａを介して、入力部２０の第２行目のキー２２を視認することが可能な領域を示している。また、視野領域Ｒ３は、カバー部材４０の操作者側から、入力部２０の第２行目のキー２３および第４行目のキー２４を視認することが可能な領域を示している。
【００３１】
また、図５には、入力部２０と自動取引装置３の接触面から鉛直方向の上方に所定の距離ｈ１だけ離れた高さにおいて、視野領域Ｒ１とＲ２の差を表す視野領域差ｄ１と、視野領域Ｒ２とＲ３の差を表す視野領域差ｄ２と、がそれぞれ示されている。視野領域Ｒ１およびＲ２は、操作者が入力部２０の異なる行に配置されたキーを視認するために行う動作の大きさを示す指標である。操作者は、入力部２０の第１行目〜第４行目のキー２１〜２４をすべて視認するために、カバー部材４０の前後上下に視点をずらしながら、入力部２０に対する入力操作を行うが、当該動作の大きさは、視野領域差ｄ１およびｄ２に依存する。すなわち、視野領域差ｄ１およびｄ２が大きくなるほど、操作者が入力部２０の異なる行に配置されるキーを視認するために行う動作が大きくなる。図５に示す一例においては、視野領域差ｄ１は、操作者が開口部４５０ａを介して第２行目のキー２２を視認した後、開口部４５０ｂを介して第１行目のキー２１を視認するために求められる動作の大きさを示している。また、視野領域差ｄ２は、操作者がカバー部材４０の操作者側から第３行目のキー２３を視認した後、開口部４５０ａを介して第２行目のキー２２を視認するために求められる動作の大きさを示している。第２の比較例に係るカバー部材４０では、視野領域差ｄ１およびｄ２が大きく構成されているため、操作者が入力部２０に対する入力操作を視認するために求められる動作が大きくなる。このため、第２の比較例に係るカバー部材４０の構成では、操作者に入力部２０および入力部２０に対する入力操作が見えづらい印象を与えてしまう。
【００３２】
（第１の実施形態に係るカバー部材５０）
以上、第１および第２の比較例に係るカバー部材３０および４０の構造的特徴について説明した。本実施形態に係るカバー部材５０は、比較例の抱える、カバー部材上方からの盗み見や操作者の利便性に係る問題を解消したものである。以下、本実施形態に係るカバー部材５０の構造的特徴について、比較例との差異を中心に説明する。
【００３３】
（カバー部材５０の構成）
図６は、本実施形態に係るカバー部材５０の斜視図である。図６を参照すると、カバー部材５０は、入力部２０の幅方向の両端側に形成される２つの側面部材５１０、入力部２０の奥側から入力部２０の鉛直上方に向けて形成される後面部材５２０、および入力部２０の鉛直上方に形成される前面部材５３０、を備える。図６に示すとおり、側面部材５１０は、自動取引装置３の前面より操作者側に突出するように形成されてもよい。
【００３４】
続いて、図７および図８を参照して、本実施形態に係るカバー部材５０の前面部材５３０について、詳細に説明する。図７は、カバー部材５０を操作者側から捉えた図である。図７を参照すると、本実施形態に係る前面部材５３０は、前面部材５３０の幅方向上に形成される複数の第１の辺部５４０と、それぞれの第１の辺部５４０から入力部２０の奥側に向けて延設される複数の第１の延設部５５０と、第１の辺部５４０と前面部材５３０の上端５３５との間または隣接する第１の辺部５４０の間に形成される複数の開口部５６０と、を備える。また、前面部材５３０は、第１の辺部５４０と交差する方向上に形成される複数の第２の辺部５７０と、それぞれの第２の辺部５７０から入力部２０の奥側に向けて延設される第２の延設部５８０と、をさらに備える。
【００３５】
図７に示した一例では、２つの第１の辺部５４０と、４つの第２の辺部５７０が示されているが、本実施形態に係る前面部材５３０の構成は、係る例に限定されない。第１の辺部５４０は、３つ以上形成されてもよいし、１つのみ形成されてもよい。また、第２の辺部５７０は、５つ以上形成されてもよいし、１つも形成されなくてよい。本実施形態に係る前面部材５３０の構成は、柔軟に変更され得る。
【００３６】
なお、図７に示す一例においては、入力部２０が、４つの行と４つの列で構成され、計１６のキーを含む場合を示しているが、本実施形態に係る入力部２０の構成は、係る例に限定されない。本実施形態に係る入力部２０は、上記に示したものとは異なる配列で構成されてもよい。
【００３７】
図８は、図７に示したカバー部材５０のＢ−Ｂ’断面を示す断面図である。図８を参照すると、第１の延設部の先端５５１ａおよび第１の辺部５４０ｂで示されるとおり、本実施形態に係る第１の延設部５５０は、カバー部材５０の奥行方向上に隣接する第１の辺部５４０と、鉛直方向上に一部が重なるように形成される。または、第１の延設部５５０の先端５５１は、隣接する第１の辺部５４０と、カバー部材５０の奥行方向上の距離が０に近づくように形成されてもよい。当該構成により、自動取引装置３の鉛直上方に設置された監視カメラからの開口部５６０を介した盗み見を防止することができる。
【００３８】
また、図８に示した一例では、第１の延設部５５０は、第１の辺部５４０から後面部材５２０に向けて水平に延設しているが、本実施形態に係る第１の延設部５５０の形状は、係る例に限定されない。本実施形態に係る第１の延設部５５０は、入力部２０側に傾くように形成されてもよいし、カバー部材５０の上方側に傾くように形成されてもよい。また、第１の延設部５５０は、それぞれで延設方向の長さや入力部２０に対する傾斜角が異なるように構成されてもよい。第１の延設部５５０が上記のように構成されることで、それぞれの開口部５６０で、入力部２０に対する奥行方向上の視野角の大きさ又は向きを変化させることができる。すわなち、それぞれの開口部５６０において、入力部２０に対する異なる視認性を実現することが可能となる。
【００３９】
さらには、図８に示す一例では、入力部２０の最も下段に位置する第４行目のキー２４が、前面部材５３０の最も操作者側に位置する第１の辺部５４０ａよりも、操作者側にはみ出さないように位置している。または、第４行目のキー２４は、前面部材５３０の最も操作者側に位置する第１の辺部５４０ａにより、印字された文字の内容が上方の監視カメラから隠れるように位置してもよい。カバー部材５０が上記の条件を満たすように構成されることで、自動取引装置３の上方に設定された監視カメラからの入力部２０における第４行目のキー２４に対する入力操作の盗み見を防止することができる。
【００４０】
また、前面部材５３０の最も操作者側に位置する第１の辺部５４０ａにより、入力部２０における第４行目のキー２４が、自動取引装置３の鉛直上方から、隠れるように位置することで、操作者からの第４行目のキー２４に対する視認性を著しく向上させることが可能となる。さらには、カバー部材５０が上記のように構成されることで、入力部２０に対する被覆度をより低く抑え、カバー部材５０の内側への採光を改善することができる。当該効果は、入力部２０がタッチパネル式ではない場合等、入力部２０が光源としての機能を果たさない場合に特に有効である。
【００４１】
（本実施形態に係る視野領域差）
次に、図９を参照して、本実施形態に係るカバー部材５０における視野領域差ｄ３およびｄ４について説明する。図９には、開口部５６０ｂを介して、入力部２０の第１行目のキー２１を視認することが可能な領域である、視野領域Ｒ１が示されている。同様に、視野領域Ｒ２は、開口部５６０ａを介して、入力部２０の第２行目のキーを確認することが可能な領域を示している。また、視野領域Ｒ３は、カバー部材５０の操作者側から入力部２０の第３行目のキー２３および第４行目のキー２４を視認することが可能な領域を示している。
【００４２】
また、図９には、入力部２０と自動取引装置３の接触面から鉛直上方に所定の距離ｈ１だけ離れた高さにおいて、視野領域Ｒ１およびＲ２の差を表す視野領域差ｄ３と、視野領域Ｒ２およびＲ３の差を表す視野領域差ｄ４と、がそれぞれ示されている。なお、図９の一例に示すとおり、入力部２０が自動取引装置３に傾いて設置される場合、所定の距離ｈ１は、入力部２０と自動取引装置３の接触面のうち鉛直方向上で最も下方にある位置を起点として設定されてもよい。
【００４３】
第２の比較例に係るカバー部材４０の構成において説明したとおり、視野領域差ｄ３およびｄ４が大きくなるほど、操作者が入力部２０の異なる行に配置されるキーを視認するために行う動作が大きくなる。図９に示す一例においては、視野領域差ｄ３は、操作者が開口部５６０ａを介して第２行目のキー２２を視認した後、開口部５６０ｂを介して第１行目のキー２１を視認するために求められる動作の大きさを示している。また、視野領域差ｄ４は、操作者がカバー部材５０の操作者側から第３行目のキー２３を視認した後、開口部５６０ａを介して第２行目のキー２２を視認するために求められる動作の大きさを示している。
【００４４】
図９および図５を参照すると、本実施形態に係るカバー部材５０における、視野領域差ｄ３およびｄ４は、第２の比較例に係るカバー部材４０における視野領域差ｄ１およびｄ２と比べ、それぞれが著しく小さいことがわかる。また、図９に示されるとおり、本実施形態に係るカバー部材５０における視野領域差ｄ３およびｄ４は、距離ｈ１の広がりに応じて小さくなる。さらには、入力部２０と自動取引装置３の接触面から鉛直上方に所定の距離ｈ２（ｈ２＞ｈ１、図示しない）だけ離れた高さになると、視野領域差ｄ３およびｄ４は消失する。すなわち、視野領域Ｒ１およびＲ２、Ｒ２およびＲ３は、それぞれにおいて一部が重複するようになる。このため、本実施形態に係るカバー部材５０では、カバー部材４０と比較して、操作者が入力部２０における第１行目〜第４行目のキー２１〜２４をすべて視認するために求められる動作を、より少なく抑えることができる。さらには、本実施形態に係るカバー部材５０は、視野領域Ｒ１〜Ｒ３で一部が重なるように構成されることで、同一の視点から視認可能な入力部２０におけるキーの範囲を広く確保することが可能となる。
【００４５】
なお、図９を用いた説明においては、入力部２０の第１行目のキー２１に対する視認性を、開口部５６０ｂを介した例で説明したが、同図から把握できるとおり、第１行目のキー２１は、開口部５６０ａを介しても視認でき、開口部５６０を介さずに操作者側から覗いた場合にも視認可能である。同様に、第２行目のキー２１は開口部５６０ｂを介しても視認でき、開口部５６０を介さずに操作者側から覗いた場合にも視認可能である。また、第３行目〜第４行目のキー２３〜２４についても、開口部５６０ａおよび開口部５６０ｂの両方から視認できるように、前面部材５３０が構成されてもよい。
【００４６】
（第１の実施形態による効果）
以上説明したように、本実施形態に係るカバー部材５０は、カバー部材５０の上方からの盗み見を防止する効果を有しながら、入力部２０に対する操作者の視認性を著しく改善したものである。また、入力部２０に対する被覆度をより小さく抑えることで、カバー部材５０の内部への採光を改善する効果も期待できる。従って、本実施形態に係るカバー部材５０は、第１および第２の比較例に係るカバー部材３０および４０の抱える、カバー部材上方からの盗み見や操作者の利便性に係る問題を解消したものである。
【００４７】
＜３．第２の実施形態＞
次に、図１０〜図１５を参照して、本発明の第２の実施形態について説明する。第２の実施形態に係るカバー部材７０は、第三者による暗証番号盗み取り装置７の設置を防止する効果を有する。図１０は、自動取引装置３に対する暗証番号盗み取り装置７の取り付けイメージを示す図である。図１０に示す一例においては、入力部２０の上面に被さるように暗証番号盗み取り装置７が設置されている。近年では、犯罪の手口が巧妙化、多様化しており、上記のような装置により、操作者の入力する暗証番号を盗み取る犯罪が発生している。
【００４８】
暗証番号盗み取り装置７は、入力部２０と似せた外観形状を有し、入力部２０上に配置される入力キーと同一の座標位置に配されたキーを備える偽の入力装置である。暗証番号盗み取り装置７が入力部２０の上面に設置された場合、操作者が暗証番号盗み取り装置７の存在に気付かず、入力操作を行ってしまうと、暗証番号盗み取り装置７は、入力された内容を記憶し、暗証番号を不正に盗み取ってしまう。暗証番号盗み取り装置７は、盗み取った暗証番号を記憶する記憶部（図示しない）、盗み取った暗証番号を外部に送信する通信部（図示しない）、または電力を供給する電源部（図示しない）等とケーブル７１０を介して接続される場合が多い。
【００４９】
ケーブル７１０を介して接続される構成要素が、カバー部材６０の内側に配置されると、操作者や管理者に看破される可能性が高くなるため、ケーブル７１０を介して接続される構成要素は、一般的に自動取引装置３の背面部や下部に配置される。このため、カバー部材６０の内側に暗証番号盗み取り装置７を設置するためには、図１０に示すように、カバー部材６０と自動取引装置３との結合部を工具８等でこじ開け、カバー部材６０と自動取引装置３の間に隙間が生じているうちに、ケーブル７１０を当該隙間に通過させなくてはならない。
【００５０】
本実施形態に係るカバー部材７０は、上記の手口による暗証番号盗み取り装置７の設置を防止するための結合部７９０を、カバー部材７０の奥側における自動取引装置３との接触面に備えること、を特徴とする。以下、本実施形態に係るカバー部材７０の構造的特徴を説明しながら、本実施形態に係るカバー部材７０の効果について解説する。なお、以下の説明においては、第１実施形態との差異について主に説明し、共通する構成要素については、説明を省略する。
【００５１】
（第２の実施形態に係る結合部７９０）
図１１は、本実施形態に係る結合部７９０の一例を示す図である。図１１を参照すると、カバー部材７０は、カバー部材７０の奥側における自動取引装置３との接触面に、段差形状を有する結合部７９０ａを備える。図１１に示す一例においては、結合部７９０ａは、入力部２０側に向けて、カバー部材７０の内壁が一部突出した状態で形成されている。
【００５２】
次に、図１２を参照して、本実施形態に係る結合部７９０の効果について説明する。図１２は、本実施形態に係るカバー部材７０が、暗証番号盗み取り装置７の設置を目的として、工具８によりこじ開けられた状態を示している。図１２に示すとおり、本実施形態にかかるカバー部材７０は、工具８によりこじ開けられた状態においても、結合部７９０ａにより、カバー部材７０と自動取引装置３の間に隙間が生じないよう構成される。ここで、工具８により、さらに隙間を広げようとした場合、カバー部材７０の一部が破損される可能性が高い。このため、操作者や管理者は、カバー部材７０の異常に気付くことができる。また、カバー部材７０が破損せずに、暗証番号読み取り装置７が設置されてしまった場合においても、ケーブル７１０の厚みに加えて結合部７９０ａの突出部分の長さだけカバー部材７０の奥側が持ち上げられるため、カバー部材７０は全体に大きく操作者側に傾くこととなる。このため、ケーブル７１０が操作者や管理者により発見される可能性が高くなり、暗証番号の盗み取りを防止することができる。また、ケーブル７１０自体を発見できない場合でも、入力部２０に対する視認性が著しく低下することから、操作者や管理者は、カバー部材７０の異常に気付くことができる。
【００５３】
また、本実施形態に係る結合部７９０の突出部分は、一般的なケーブル７１０の厚みに合わせて形成されてもよい。カバー部材７０が工具８によりこじ開けられた場合でも、ケーブル７１０と同程度の長さを有する結合部７９０の突出部分が、ケーブル７１０を通す十分な隙間を与えないことで、暗証番号盗み取り装置７の設置を防止することができる。または、結合部７９０の突出部分は、一般的なケーブル７１０の厚み以上の長さを有してもよいし、図１１に示す一例において、カバー部材７０の内壁が入力部２０に達するように形成されてもよい。
【００５４】
（結合部７９０の変形例）
次に、図１３〜図１５を参照して、本実施形態に係る結合部７９０の変形例について説明する。図１３は、本実施形態に係る結合部７９０の別の段差形状を示す一例である。図１３を参照すると、カバー部材７０は、カバー部材７０の奥側における自動取引装置３との接触面に、段差形状を有する結合部７９０ｂを備える。図１１に示した例とは異なり、結合部７９０ｂは、自動取引装置３側に向けて、カバー部材７０の外壁が一部突出した状態で形成されている。
【００５５】
図１４は、本実施形態に係る結合部７９０の別の変形例を示す図である。図１４を参照すると、カバー部材７０は、カバー部材７０の奥側における自動取引装置３との接触面に、凸形状を有する結合部７９０ｃを備える。一方、図１４に示す一例においては、自動取引装置３に、結合部７９０ｃの凸形状と対応する凹形状が形成されている。本変形例においては、カバー部材７０は、上述した凸形状を有する結合部７９０ｃにより、自動取引装置３に形成された凹形状と結合される。
【００５６】
図１５は、本実施形態に係る結合部７９０の別の変形例を示す図である。図１５を参照すると、カバー部材７０は、カバー部材７０の奥側における自動取引装置３との接触面に、凹形状を有する結合部７９０ｄを備える。一方、図１５に示す一例においては、自動取引装置３に、結合部７９０ｄの凹形状と対応する凸形状が形成されている。本変形例においては、カバー部材７０は、上述した凹形状を有する結合部７９０ｄにより、自動取引装置３に形成された凸形状と結合される。
【００５７】
以上、結合部７９０の変形例について説明したが、本実施形態に係る結合部７９０の形状は、係る例に限定されない。結合部７９０は、ケーブル７１０を通さない機能を果たせばよいし、上記で説明した段差形状、凸形状、および凹形状以外の形状が用いられてもよい。結合部７９０は、例えば、ケーブル７１０の直径や厚さよりも間隔の短い格子状や柵状で形成されてもよい。また、図１１〜図１５に示す各例においては、結合部７９０が自動取引装置３の形状と密着して結合する状態で示されているが、本実施形態に係る結合部７９０は、自動取引装置３と空間を介して結合するように形成されてもよい。本実施形態に係る結合部７９０の形状は柔軟に変形され得る。
【００５８】
（第２の実施形態による効果）
上記で説明した通り、本実施形態に係るカバー部材７０は、結合部７９０を備えることを特徴する。当該構成により、工具８によりカバー部材７０がこじ開けられた場合においても、カバー部材７０と自動取引装置３との間に、ケーブル７１０を通す隙間を生じさせないことで、暗証番号盗み取り装置７の設置を防止することが可能となる。
【００５９】
＜６．まとめ＞
以上、説明したように、本発明の第１の実施形態に係るカバー部材５０は、前面部材５３０の幅方向上に形成される複数の第１の辺部５４０と、それぞれの第１の辺部から入力部２０の奥側に向けて延設される複数の第１の延設部５５０と、第１の辺部５４０と前面部材５３０の上端５３５との間または隣接する第１の辺部５４０の間に形成される複数の開口部５６０と、を備えること、を特徴とする。また、第２の実施形態に係るカバー部材７０は、一部が突出した形状を有する結合部７９０を備えること、を特徴とする。
【００６０】
上記のそれぞれに係る構成によれば、自動取引装置の入力部に対する入力情報の漏えいを防ぎながら、入力部に対する操作者からの視認性を充分に確保することが可能となる。
【００６１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６２】
３    自動取引装置
２０    入力部
５０、７０    カバー部材
５１０    側面部材
５２０    後面部材
５３０    前面部材
５４０、７４０    第１の辺部
５５０、７５０    第１の延設部
５６０、７６０    開口部
５７０    第２の辺部
５８０、７８０    第２の延設部
７９０  結合部
【図１】
2017091282.tif 000003
【図２】
2017091282.tif 000004
【図３】
2017091282.tif 000005
【図４】
2017091282.tif 000006
【図５】
2017091282.tif 000007
【図６】
2017091282.tif 000008
【図７】
2017091282.tif 000009
【図８】
2017091282.tif 000010
【図９】
2017091282.tif 000011
【図１０】
2017091282.tif 000012
【図１１】
2017091282.tif 000013
【図１２】
2017091282.tif 000014
【図１３】
2017091282.tif 000015
【図１４】
2017091282.tif 000016
【図１５】
2017091282.tif 000017